(57)【要約】【課題】多方向からスクリーンの映像鑑賞並びに検視が行えられ、然も、製造・組立作業において、簡易であるとともに、必要原価の節減が可能であり、且つ、使用上においても軽便であるとともに、耐用性に優れた装置の新屈折構造を提供する。【解決手段】 中空フレームと、連結アームおよびカバー部材等を有する画像反射鏡装置の屈折反射構造において、前記中空フレームの一端に取付座を設け、前記連結アームを介して前記カバー部材の一端における取付座と連結して固定させ、尚且つ、反転時において一端を軸とした多角度を有する。  【選択図】  図2
0003135767.tif 000002
【実用新案登録請求の範囲】
【請求項１】
本考案における反射鏡の新屈折反射構造において、少なくとも
連結アームとカバー部材との枢接に供する筐体を備えて、ディジタルカメラの表示スクリーン周囲に固定される中空フレームと、
板体形状であって、連結アームと中空フレームとを枢接し、その中に屈折反射シートを具えて、表示スクリーンの映像を屈折反射するカバー部材、及び
中空フレームとカバー部材の枢接に供される棒状体の連結アームとを含有して、
前記連結アームの一端を前記中空フレームに枢設し、且つ、他端を前記カバー部材に枢設して、Z字型に近似する形状を成すことによって、前記カバー部材が完全に上方反転と、下方への反転作動を任意に行うことによって、前記カバー部材の屈折反射シートが多角度のスクリーン映像鑑賞が可能であることを特徴とする反射鏡の新屈折反射構造。
【請求項２】
前記連結アームが二つの単一アームであって、対向して前記中空フレー
ムと、前記カバー部材の両側に枢設されたことを特徴とする請求項1に記載の反射鏡の新屈折反射構造。
【請求項３】
前記反射シートが光線を反射する鏡面ガラス材、又は、高度光沢面の金属材で実施されたことを特徴とする請求項1に記載の反射鏡の新屈折反射構造。
【考案の詳細な説明】
【技術分野】
【０００１】
本考案の画像反射装置おける新屈折反射構造は、ディジタルカメラの液晶スクリーン周囲に反射鏡装置を設置することによって、光線の屈折反射原理により使用者が多角度並びに多方向からスクリーンの映像検視ができる。
【背景技術】
【０００２】
技術の日新月異に伴い、数多な市販製品もディジタル化技術の分野に進み、
また、目前の休閑ブームの盛んな時期において、カメラの撮影を介して生活の記録を行うことは、現代生活における不可欠部分に成っている。
【０００３】
従って、本考案者は既出願の台湾特許第M262742号「スクリーン反射鏡装置」に、人が多い場所若しくは特殊な視角制限において、カメラを上方に上げたり、下方に位置させて撮影、又は視角を大幅に拡張する場合、ディジタルカメラに設けられた前記「スクリーン反射鏡装置」を介して、使用者の視角に死角有する場合においても、光線の屈折反射関係を利用して、スクリーンにおける映像がみえるようにしてある。
【０００４】
然し、現在の使用者は、その殆どがディジタルカメラを用いて自己撮影する。尚且つ、自己撮影の場合は、殆どがレンズの反射による観察、或いは、感覚に頼って撮影が行われる故に、通常は、複数回の撮影が必要であるとともに、撮影範囲ないであるか否かの観察が必要であって、使用上の不便を齎す。且つ、先前の創作においては、二組の上、下回転アームを用い、カメラを上げたり、下げたりして撮影するゆえ、加工の手間と製造原価の高騰を招く。
【０００５】
縁って、本考案者は該欠陥に鑑み、前記反射鏡装置の屈折反射構造改善において、連結アームを用いて中空フレームとカバー部材とを枢接することによるスクリーン映像の多方向検視を達成することを課題とし、且つ、組立作業における簡易性向上及び必要原価の節減目的の達成を期す。
【特許文献１】台湾特許第M262742号
【考案の開示】
【考案が解決しようとする課題】
【０００６】
本考案の反射鏡における屈折反射構造の主要目的は、前記連結アームを用いて、前記中空フレームと前記カバー部材との一端を枢接するとともに、前記屈折反射シートの屈折反射原理を利用して、多角度と、多方向からスクリーンの映像鑑賞を行うことである。
【課題を解決するための手段】
【０００７】
本考案の反射鏡装置の屈折反射構造は、中空フレームと、連結アームおよびカバー部材等を有する画像反射鏡装置の屈折反射構造において、前記中空フレームと前記カバー部材との一端にそれぞれ取付座を設け、前記連結アームと連結させ、尚、前記カバー部材において屈折反射シートを設置し、連結アームと枢接を介してカバー部材に多角度を有させ、多方向の反転によって使用者が屈折反射シートを介して液晶表示のスクリーンから映像検視が行えられる。
【考案を実施するための最良の形態】
【０００８】
従って、本考案の前記諸点が完全に専利出願の要件を満たすことを、添付図面参照で詳細説明及び技術内容により以下に説明する。
【０００９】
図1に開示された従来の屈折反射装置3は、屈折反射装置3を前記ディジタルカメラ1の表示スクリーン11の周囲に固定し、レンズ12を介して撮影する場合の当該リアルタイム画面は、前記屈折反射装置3の反射鏡4を経て投射され、使用者が前記カメラを上方に上げたり、下方に位置させたりして撮影する時は、前記反射鏡4を通して前記表示スクリーン11における映像を検視される。
【００１０】
尚、この屈折反射装置3は、フレーム33の左右両端の中央部に取付座31、31’を設け、両回転アーム32、32’を介して、前記フレーム33と前記反射鏡4とを枢接することによって、前記表示スクリーン11の反転検視に供する。然し、当該装置は表示スクリーン11における視角の死角問題を解決するも、ディジタルカメラ1の自己撮影が非常に盛んに行われる現状では、屈折反射装置3を上げたり、下げたりして撮影する方式の反射鏡4検視のみに供することでは、カメラ前方からの表示スクリーン11おける映像検視の提供ができなくなり、従って、多方向、多角度の表示スクリーン11機能検視も無理である。
【００１１】
図2及び図3に開示された本考案反射鏡の新屈折反射構造は、中空フレーム21と、カバー部材22及び連結アーム23とで反射鏡装置2を構成し、前記中空フレーム21の一端に取付座24を設け、前記連結アーム23を介して対向する前記カバー部材22一端の取付座24’に枢接される。前記カバー部材22は、一端に取付座24’を設け、連結アーム23の枢接を介して、前記中空フレーム21の一端に設置された取付座24と対向し、尚且つ、カバー部材22内に屈折反射シート25を設けて、前記表示スクリーン11の映像供給に供される。前記連結アーム23は、前記中空フレーム21と前記カバー部材22とを枢接し、反射鏡装置2は、ディジタルカメラ1の前記表示スクリーン11周囲部に固定される。
【００１２】
尚、反射鏡装置2をディジタルカメラ1の前記表示スクリーン11周囲部に設置することにより、使用者の各種角度の撮影動作時に、それぞれX軸方向とY軸方向とを軸とし、前記反射鏡装置2の微調整を経ることにより、前記屈折反射シート25を透過して表示スクリーン11における映像をハッキリさせる。
【００１３】
尚、図4、図5及び図6における開示は、本考案反射鏡の屈折反射新構造の実施状態を示す説明図である。反射鏡装置2を表示スクリーン11周囲部に固定し、ディジタルカメラ1はレンズ12を経て画面を取入れるとともに、前記表示スクリーン11に表示させ、中空フレーム21とカバー部材22との一端に設置された取付座24、24’用い、前記連結アーム23を介して枢接され、前記カバー部材22に対する適当な微調整を行い、屈折反射シート25の透過によって、表示スクリーン11における映像の検視を行う。然るに、ディジタルカメラ1を高所から下方に向けて撮影する場合は、Y軸を軸として上方に高く揚げるとともに、適宜な微調整にて、下方から屈折反射シート25の透過により、表示スクリーン11における映像の検視を行う。尚、低い位置から上に向けて撮影を行う場合は、X軸を軸として下向きに反転し、適宜な微調整を行い、上方から屈折反射シート25の透過により、表示スクリーン11における映像の検視を行う。若し、使用者がディジタルカメラ1の前方において撮影する場合は、X軸とY軸とを軸として反転して、微調整をすることにより前方から屈折反射シート25の透過により表示スクリーン11内の映像検視をする。
【００１４】
従って、人が多い場所若しくは大角度または自己撮影等においても、視角角度の範囲増加が可能である故、多角度、多方向のスクリーン映像鑑賞も可能となる。因って、使用者に対する視角死角による制限がない。
【図面の簡単な説明】
【００１５】
【図１】従来の屈折反射装置を示す立体図。
【図２】本考案反射鏡の新屈折反射構造を示す立体図。
【図３】本考案反射鏡の新屈折反射構造の使用状態を示す説明図。
【図４】本考案反射鏡の新屈折反射構造の実施例を示す説明図。
【図５】本考案反射鏡の新屈折反射構造の更の実施例を示す説明図。
【図６】本考案反射鏡の新屈折反射構造の又の実施例を示す説明図。
【符号の説明】
【００１６】
１      ディジタルカメラ
２      反射鏡装置
３      屈折反射装置
４      反射鏡
１１    表示スクリーン
１２    レンズ
２１    中空フレーム
２２    カバー部材
２３    連結アーム
２４    取付座
２４′  取付座
２５    屈折反射シート
３１    取付座
３１′  取付座
３２    両回転アーム
３２′  両回転アーム
３３    フレーム
【図１】
0003135767.tif 000003
【図２】
0003135767.tif 000004
【図３】
0003135767.tif 000005
【図４】
0003135767.tif 000006
【図５】
0003135767.tif 000007
【図６】
0003135767.tif 000008